(57)【要約】      （修正有）【課題】袋状容器内へのゲル状の状態の冷凍菓子の充填作業のコストを削減し、充填された固化状態の冷凍菓子に水滴が発生したとしても、水滴の抽出口からの漏出を防止することができる軟化抽出装置用袋状容器を提供する。【解決手段】底部中央に抽出口３を有する袋状容器１の内部における前記抽出口３の上部位置に、封入した冷凍固化した冷凍菓子を軟化させて抽出する際の圧力により開封する適宜の封止手段５を設ける。抽出口３には抽出するまで汚染防止用シール４を貼着しておく。【選択図】図１
0003151262.tif 000002
【実用新案登録請求の範囲】
【請求項１】
底部に抽出口を有する袋状容器の内部における前記抽出口の上部位置に、封入した冷凍固化した冷凍菓子を軟化させて抽出する際の圧力により開封する適宜の封止手段を設けたことを特徴とする冷凍菓子の軟化抽出装置用袋状容器。
【請求項２】
封止手段が、雌雄咬合型のチャックである請求項１記載の冷凍菓子の軟化抽出装置用袋状容器。
【請求項３】
封止手段が、ヒートシールである請求項１記載の冷凍菓子の軟化抽出装置用袋状容器。
【請求項４】
封止手段が、接着剤による接着である請求項１記載の冷凍菓子の軟化抽出装置用袋状容器。
【考案の詳細な説明】
【技術分野】
【０００１】  本考案は、袋状容器内に封入した冷凍固化したソフトクリーム、アイスクリーム等の冷凍菓子を軟化させて抽出する装置において用いる冷凍菓子封入用の袋状容器に関するものである。
【背景技術】
【０００２】  袋状容器内に封入した冷凍固化したソフトクリーム、アイスクリーム等の冷凍菓子を軟化させて抽出する装置において用いる冷凍菓子封入用の袋状容器として、従来、例えば特許文献１に記載のものがある。
【先行技術文献】
【特許文献】
【０００３】
【特許文献１】特開２００４−４９１９０号公報
【０００４】  該特許文献１に記載の袋状容器は、二枚のシート材と、中央部に抽出口を設け且つ内側に折り込んだ底部材とを、該底部材をサンドイッチ状に挟んだ状態において周縁部をヒートシールしてなるものである。【０００５】  ところで、ソフトクリーム、アイスクリーム等の冷凍菓子は、先ず袋状容器内にゲル状の状態において所定量宛充填されて封入される。その後冷凍庫で冷却することによって固化され、軟化抽出装置によって処理される状態となるものである。【０００６】  尚、上記の通り袋状容器内に充填するときには、冷凍菓子は未だ固化しないゲル状の状態である。【０００７】  而して、上記特許文献１に記載のものの如き従来の袋状容器は、ゲル状の状態の冷凍菓子を充填するときに大変面倒であった。【０００８】  即ち、袋状容器の上部開口と底部の抽出口とは、袋内部において連通状態であるから、何らかの措置を講じないと充填したものがそのまま流出してしまうからである。このため従来、袋状容器における抽出口の上部をクリップ状のバインダーで挟んで袋状容器内部の上下の流通を遮断するか、或いは底部を折り返す等の方法が採られている。【０００９】  しかし、このようにクリップ状のバインダーで挟んだり、或いは折り返すためには、その分の余計な手間と時間がかかることになる。また、クリップ状のバインダーは個々の袋状容器ごとに必要であり、その分のコストもかかることになる。また、挟んだバインダーは出っ張ることから、冷凍庫への収納時にも余分なスペースが必要となる。そして更に、冷凍後には取り外さなければならない。
【考案の概要】
【考案が解決しようとする課題】
【００１０】  本考案は上記の点に鑑みなされたものであって、従来の如き余分な手間と時間をかけずに充填作業を迅速に行うことができると共に、従来におけるバインダー等の部品も不要でコストを軽減することができ、また、冷凍庫への収納時にも余分なスペースを必要とせず、加えて袋状容器が外気と接触する等して万一その内部に封入した固化状態の冷凍菓子に水滴が発生したとしても、該水滴の抽出口からの漏出を防止することができるようになした冷凍菓子の軟化抽出装置用袋状容器を提供しようとするものである。
【課題を解決するための手段】
【００１１】  而して、本考案の要旨とするところは、底部に抽出口を有する袋状容器の内部における前記抽出口の上部位置に、封入した冷凍固化した冷凍菓子を軟化させて抽出する際の圧力により開封する適宜の封止手段を設けたことを特徴とする冷凍菓子の軟化抽出装置用袋状容器にある。【００１２】  また、上記構成において、封止手段としては、雌雄咬合型のチャック、ヒートシール或いは接着剤による接着等を挙げることができる。
【考案の効果】
【００１３】  本考案は上記の如き構成であり、袋状容器の内部における抽出口の上部位置に、封入した冷凍固化した冷凍菓子を軟化させて抽出する際の圧力により開封する適宜の封止手段を設けたものであり、袋状容器の上部開口と底部の抽出口とは、袋状容器内部において遮断されて非連通状態であるから、袋状容器内へのゲル状の状態の冷凍菓子の充填は、何ら従来の如き人為的な操作を要することなく、迅速にこれを行うことができるものである。加えて袋状容器が外気と接触する等して万一その内部に封入した固化状態の冷凍菓子に水滴が発生したとしても、該水滴の抽出口からの漏出を防止することができるものである。【００１４】  そして、軟化抽出装置により袋状容器内に封入した冷凍固化状態にある冷凍菓子を軟化させて抽出するときには、その際の絞り出す圧力によって封止手段の封止は解除され、自然に抽出口からクリーム状に軟化した冷凍菓子を抽出することができるものである。
【図面の簡単な説明】
【００１５】
【図１】本考案の一実施形態に係る冷凍菓子の軟化抽出装置用袋状容器の正面図である。
【図２】図１中Ａ−Ａ線切断部拡大端面図である。
【図３】本考案の作用説明図である。
【考案を実施するための形態】
【００１６】    以下、本考案を実施するための形態について、図面を参照して説明する。
【００１７】  図中、１は本考案の実施形態に係る冷凍菓子の軟化抽出装置用袋状容器（以下、「袋状容器」と称す。）である。また、該袋状容器１は、所定の展開形状に裁断された樹脂シートを折り返して重合し、両側の側縁部をヒートシール２，２してなるものである。尚、底部は抽出し易くするため逆台形状になしている。
【００１８】  また、前記袋状容器１は、その底部中央に抽出口３を有し、そして該抽出口３には抽出するときに剥離する汚染防止用シール４を貼着している。
【００１９】  また、前記袋状容器１は、その内部における前記抽出口３の上部位置に、封入した冷凍固化した冷凍菓子を軟化させて抽出する際の圧力により開封する適宜の封止手段５を設けている。
【００２０】  また、前記封止手段５は、本実施形態においては雌雄咬合型のチャックとしている。尚、該封止手段５は、図示はしないが、ヒートシールでもよいし、接着剤による接着でもよい。或いはまた、これら以外の手段でもよい。また、その他図中６はゲル状の状態の冷凍菓子を示す。
【００２１】  次に、本考案の作用について説明する。
袋状容器１は、先ずヒートシールしていない上部開口からゲル状の状態の冷凍菓子６を充填する。このとき該袋状容器１には、その内部における抽出口３の上部位置に、封入した冷凍固化した冷凍菓子を軟化させて抽出する際の圧力により開封する封止手段５を設けており、袋状容器１の上部開口と底部の抽出口３とは、袋状容器１内部において非連通状態となっているから、何ら従来の如き人為的操作を要することなく、充填装置からそのまま充填することができる。したがって、従来の如き手間と時間とコストをかけずに充填作業を迅速に行うことができる。尚、図３には袋状容器１内にゲル状の状態の冷凍菓子６を充填した状態における袋状容器１の底部を実線で示している。そして、袋状容器１は、充填を完了した後開口部を図１の仮想線で示す如くヒートシール６し、その後冷凍庫に入れて充填物を冷凍固化させる。
【００２２】  そして、軟化抽出装置（図示せず。）により袋状容器１内に封入した冷凍固化状態にある冷凍菓子を軟化させて抽出するときには、装置による抽出時の絞り出す圧力によって封止手段５の封止は解除（図３に仮想線で示す。）され、自然に抽出口３からクリーム状に軟化した冷凍菓子を抽出することができるものである。尚、抽出口３に貼着している汚染防止用シール４は、軟化抽出装置により軟化抽出する直前に剥がすものである。また、上記の如く、袋状容器１内の抽出口３の上部は封止手段５によって封止されているから、袋状容器１を冷凍庫から取り出して軟化抽出装置による軟化抽出処理を完了するまでの間に、袋状容器１が外気と接触する等して万一その内部に封入した固化状態の冷凍菓子に水滴が発生したとしても、該水滴の抽出口３からの漏出を防止することができるものである。
【符号の説明】
【００２３】１  冷凍菓子の軟化抽出装置用袋状容器
２，２  ヒートシール
３  抽出口
４  汚染防止用シール
５  封止手段
６  ヒートシール
【図１】
0003151262.tif 000003
【図２】
0003151262.tif 000004
【図３】
0003151262.tif 000005